(57)【要約】【課題】  再封緘機能付き包装箱として、初期封緘ならびに再封緘の作業を粘着テープや接着剤を用いずに容易に行え、開封及び再開封の操作が容易であり、初期封緘及び再封緘状態で蓋板を簡単に開くことができず、封緘の信頼性を確保できるものを提供する。【解決手段】  対向する一対の両側板部１，２より各々延出する第一及び第二の蓋板部６，７を備え、第二の蓋板部７上に重ねた第一の蓋板部６の差込みフラップ１４を、内向きに折り曲げて第二の蓋板部７の差込み口２１に挿嵌係止して封緘し、封緘した包装箱Ｂ１を第一の蓋板部６のジッパー１８の破断によって開封するが、破断した第一の蓋板部６の残余部の上に第二の蓋板部７を被せ、第二の蓋板部７の差込みフラップ１５を第一の蓋板部６の差込み口２０に挿嵌係止して再封緘でき、再封緘した包装箱Ｂ１を第二の蓋板部７のジッパー１９の破断によって再開封できるように構成されている。【選択図】        図１
2006176149.tif 000002
【特許請求の範囲】
【請求項１】
四周側板部及び底板部と、四周側板部の対向する一対の両側板部より各々延出する第一及び第二の蓋板部とを備え、
前記第一及び第二の蓋板部にはそれぞれ、基端側の差込み口と、内向きに折り曲げて互いに他方の蓋板部の差込み口に挿嵌し得る先端側の差込みフラップと、開封用破断部とが形成されると共に、各差込みフラップを差込み口への挿嵌状態で抜出不能に係止する係止手段を有し、
第二の蓋板部上に重ねた第一の蓋板部の差込みフラップを第二の蓋板部の差込み口に挿嵌係止して封緘し、この封緘した包装箱を第一の蓋板部の開封用破断部の破断によって開封するが、破断した第一の蓋板部の残余部の上に第二の蓋板部を被せ、その差込みフラップを第一の蓋板部の差込み口に挿嵌係止して再封緘できると共に、この再封緘した包装箱を第二の蓋板部の開封用破断部を破断して再開封できるように構成されてなる再封緘機能付き包装箱。
【請求項２】
前記差込みフラップが基端側に括れ部を有し、この差込みフラップに対応する差込み口が基端縁に沿うスリットをなし、該スリットの中央側に当該蓋板部の先端側へ凹入した係嵌部が形成され、該係嵌部の左右幅が前記差込みフラップの全幅より狭く且つ括れ部の左右幅と同一又は若干広く設定され、
前記係止手段は、当該差込みフラップを閉蓋状態の蓋板部の前記スリットに挿嵌した際に、その括れ部が前記係嵌部に嵌合して、当該差込みフラップの両側張出部が該係嵌部の両側で蓋板部の裏側に配置するように構成したものである請求項１記載の再封緘機能付き包装箱。
【請求項３】
前記差込み口のスリットが切込み形成され、閉蓋状態で該スリットの抜け残部が側板部から連続して立ち上がる堰壁部を形成する請求項２記載の再封緘機能付き包装箱。
【請求項４】
前記括れ部を有する差込みフラップの基端縁が蓋板部の先端縁よりも蓋板部基端側に寄った位置にあり、該差込みフラップを内側へ折り曲げて前記スリットに挿嵌した際、この折り曲げた基端縁の両側で突出した蓋板部の先端縁が前記堰壁部に接当することにより、当該差込みフラップの括れ部が前記スリットの係嵌部から離脱不能にロックされる請求項３記載の再封緘機能付き包装箱。
【請求項５】
前記差込み口が曲がったスリットをなし、前記係止手段は強制変形させて該スリットに挿嵌した差込みフラップの変形が箱内で自然に戻ることを利用するものである請求項１記載の再封緘機能付き包装箱。
【発明の詳細な説明】
【技術分野】
【０００１】
この発明は、例えば通信販売される商品の発送に用いる通販用包装箱を始めとして、種々の物品を収容する段ボールや板紙等の紙製又はプラスチック製であって、一旦開封した後に返品等のために再封緘することが可能な再封緘機能付きの包装箱に関する。
【背景技術】
【０００２】
この種の再封緘機能付き包装箱として、従来より種々の構成のものが知られているが、基本的には、蓋板を対向する一対の側板部から延出して上下二重に重ねる形で封緘し、開封時には上側の蓋板をジッパーやミシン目で破断すると共に、下側になっていた蓋板単独（特許文献１）もしくは該蓋板と破断した蓋板の残部と（特許文献２〜４）で再封緘できるようになっている。
【特許文献１】実開昭５７−１６２１１０号公報
【特許文献２】実開平５−６５８２６号公報
【特許文献３】特開平５−１２４６３８号公報
【特許文献４】特開２００３−２９１９５６号公報  しかるに、これら従来の再封緘機能付き包装箱では、再封緘した状態から簡単に開封できてしまうことから、返送する際には開封防止のために蓋板を粘着テープ等で止着したり全体を梱包する必要があり、その作業に手間と時間がかかる上、一般家庭では粘着テープや梱包材料を切らしている場合も多く、返品するユーザー側にとっては非常に不便であった。また、初期の封緘においても、上下に重ねた蓋板同士を両面粘着テープや接着剤によって接着する方式（例えば特許文献２〜４）では、封緘操作に手間がかかると共に材料費も高くつき、省資源化に反する上、粘着テープを用いれば廃棄時に分別作業を要するという難点があった。
【発明の開示】
【発明が解決しようとする課題】
【０００３】
この発明は、上述の事情に鑑みて、再封緘機能付き包装箱として、初期封緘ならびに再封緘の作業を粘着テープや接着剤を用いずに容易に行える上、開封及び再開封の操作も容易であり、しかも初期封緘及び再封緘状態で蓋板を簡単に開くことができず、封緘の信頼性を確保できるものを提供することを目的としている。
【課題を解決するための手段】
【０００４】
上記目的を達成するために、請求項１の発明に係る再封緘機能付き包装箱は、四周側板部及び底板部と、四周側板部の対向する一対の両側板部より各々延出する第一及び第二の蓋板部とを備え、前記第一及び第二の蓋板部にはそれぞれ、基端側の差込み口と、内向きに折り曲げて互いに他方の蓋板部の差込み口に挿嵌し得る先端側の差込みフラップと、開封用破断部とが形成されると共に、各差込みフラップを差込み口への挿嵌状態で抜出不能に係止する係止手段を有し、第二の蓋板部上に重ねた第一の蓋板部の差込みフラップを第二の蓋板部の差込み口に挿嵌係止して封緘し、この封緘した包装箱を第一の蓋板部の開封用破断部の破断によって開封するが、破断した第一の蓋板部の残余部の上に第二の蓋板部を被せ、その差込みフラップを第一の蓋板部の差込み口に挿嵌係止して再封緘できると共に、この再封緘した包装箱を第二の蓋板部の開封用破断部を破断して再開封できるように構成されている。
【０００５】
また、請求項２の発明は、上記請求項１の再封緘機能付き包装箱において、前記差込みフラップが基端側に括れ部を有し、この差込みフラップに対応する差込み口が基端縁に沿うスリットをなし、該スリットの中央側に当該蓋板部の先端側へ凹入した係嵌部が形成され、該係嵌部の左右幅が前記差込みフラップの全幅より狭く且つ括れ部の左右幅と同一又は若干広く設定され、前記係止手段は、当該差込みフラップを閉蓋状態の蓋板部の前記スリットに挿嵌した際に、その括れ部が前記係嵌部に嵌合して、当該差込みフラップの両側張出部が該係嵌部の両側で蓋板部の裏側に配置するように構成したものである。
【０００６】
そして、請求項３の発明は、上記請求項２の再封緘機能付き包装箱において、前記差込み口のスリットが切込み形成され、閉蓋状態で該スリットの抜け残部が側板部から連続して立ち上がる堰壁部を形成する構成としている。
【０００７】
更に、請求項４の発明は、上記請求項３の再封緘機能付き包装箱において、前記括れ部を有する差込みフラップの基端縁が蓋板部の先端縁よりも蓋板部基端側に寄った位置にあり、該差込みフラップを内側へ折り曲げて前記スリットに挿嵌した際、この折り曲げた基端縁の両側で突出した蓋板部の先端縁が前記堰壁部に接当することにより、当該差込みフラップの括れ部が前記スリットの係嵌部から離脱不能にロックされる構成としている。
【０００８】
一方、請求項５の発明は、上記請求項１の再封緘機能付き包装箱において、前記差込み口が曲がったスリットをなし、前記係止手段は強制変形させて該スリットに挿嵌した差込みフラップの変形が箱内で自然に戻ることを利用するものとしている。
【発明の効果】
【０００９】
請求項１の発明に係る再封緘機能付き包装箱によれば、初期の封緘操作ならびに再封緘操作共に、第一及び第二の蓋板部の一方の差込みフラップを他方の差込み口に挿嵌するだけで簡単に行えて作業性がよい上、粘着テープや接着剤が不要であるために材料費の低減と省資源化を図れ、しかも初期封緘及び再封緘状態では、係止手段によって差込みフラップが差込み口から抜出不能に保持され、蓋板部を簡単には開くことができないから、配送過程での悪意による物品の抜取りや取替え、異物混入等を防止できて封緘度の高い信頼性が得られ、また開封及び再開封操作も開封用破断部の破断によって容易に行える。更に、初期封緘及び再封緘の何れの状態でも蓋面が平坦になるから、この蓋面に郵便や宅配便による配送に必要な送付状を綺麗に貼り付けることができる。
【００１０】
請求項２の発明によれば、差込みフラップを閉蓋状態の蓋板部のスリットに挿嵌するだけで、その括れ部が該スリットの係嵌部に嵌合して、両側張出部が該係嵌部の両側で蓋板部の裏側に配置し、もって当該差込みフラップがスリットから抜出不能にロックされるから、格別な係止操作が全く不要である上、係止部分の構造が極めて簡素になるために箱の製作も容易になる。
【００１１】
請求項３の発明によれば、基端側に括れ部を有する差込みフラップを差込み口のスリットに挿嵌する際、該差込みフラップの先端を側板部に当接させ、そのまま押さえるだけで該差込みフラップがスリットに嵌まり込み、括れ部が該スリットの係嵌部に嵌合するから、封緘操作がより容易になる。
【００１２】
請求項４の発明によれば、前記差込みフラップを内側へ折り曲げて前記スリットに挿嵌した際、該差込みフラップのある上側の蓋板部の先端縁が前記堰壁部に接当し、当該差込みフラップの括れ部が前記スリットの係嵌部との嵌合位置から前方へ移動するのを阻止するストッパーとして機能するから、外力で蓋板側が撓むことがあってもロック状態を維持でき、運搬等の取扱い中に当該差込みフラップがスリットから抜出する懸念はない。
【００１３】
請求項５の発明によれば、封緘に際し、曲がったスリット状の差込み口に対し、差込みフラップを強制変形させた状態で挿嵌することにより、該差込みフラップの変形が箱内で自然に戻って確実なロック状態が得られる。
【発明を実施するための最良の形態】
【００１４】
以下、この発明に係る再封緘機能付き包装箱の実施形態について、図面を参照して具体的に説明する。図１〜図１０は第一実施形態の包装箱Ｂ１、図１１〜図１４は第二実施形態の包装箱Ｂ２をそれぞれ示す。
【００１５】
第一実施形態の包装箱Ｂ１は、図１の展開状態で示すように、段ボールや厚紙又はプラスチックからなるシート状原材の打ち抜きプレスによって得られる一枚のシートＳ１にて構成されている。このシートＳ１は、前後側板部１，２と左右側板部３，４及び糊付け用フラップ５が縦折り線ａ〜ｄを介して横並びに連設されている。そして、前側板部１の上縁には横折り線ｅを介して第二の蓋板部７、後側板部２の上縁には横折り線ｆを介して第一の蓋板部６、左右側板部３，４の各上縁に横折り線ｇ，ｈを介して蓋受けフラップ８，９がそれぞれ延設され、更にこれら側板部１〜４の下縁には横折り線ｉ〜ｍを介して底板部用フラップ１０〜１３がそれぞれ連設されている。
【００１６】
しかして、第一及び第二の蓋板部６，７は、外形寸法が等しく設定されており、各々の先端側の中央位置に横折り線ｎ，ｏを介して横長舌片状の差込みフラップ１４，１５が連設されると共に、各々の基端側の中央位置に差込み口としての基端縁に沿うスリット１６，１７が切り込み形成され、更に各スリット１６，１７の中央側で蓋板部６，７の先端側へ凹入した係嵌部１６ａ，１７ａが横長細帯状の打ち抜きによって形成されている。また、第一の蓋板部６のやや先端側寄りに位置して、開封用破断部として左右側縁部間にわたる帯状のジッパー１８が設けられており、開封時に該ジッパー１８を中央の指掛け穴１８ａから左右に切り取るようになっている。一方、第二の蓋板部７の先端側中央には、同じく開封用破断部として、やや先端側寄りの中央位置から差込みフラップ１５の基端に至る台形状のジッパー１９が設けてあり、開封時に内側の指掛け穴１９ａから該ジッパー１９を差込みフラップ１５と一体に切り取るようになっている。
【００１７】
差込みフラップ１４，１５は、同一の寸法形状であり、基端縁をなす横折り線ｎ，ｏが底蓋部６，７の先端縁６ａ，７ｂよりも蓋板部基端側に寄った低い位置にあり、その低くなった基端側が左右幅の狭い括れ部１４ａ，１５ａを構成している。一方、スリット１６，１７も同一の寸法形状であり、その左右全幅が差込みフラップ１４，１５の全幅と同一乃至若干広く設定されると共に、係嵌部１６ａ，１７ａの左右幅が差込みフラップ１４，１５の全幅より狭く且つ括れ部１４ａ，１５ａの左右幅と同一又は若干広く設定されている。また、両蓋板部６，７の基端側では横折り線ｅ，ｆがスリット１６，１７の切込み部分で途切れており、これによってスリット１６，１７の抜け残部が前後側板部１，２から連続して立ち上がる条片状の堰壁部２０，２１を構成している。
【００１８】
このようなシートＳ１から包装箱Ｂ１を作製するには、前後側板部１，２及び左右側板部３，４を縦折り線ａ〜ｄで折り曲げて、糊付け用フラップ５を右側板部４の内面に接着して四周枠部を形成すると共に、底板部用フラップ１２，１３の隅角部に４５度の斜め折り線ｐ，ｑを介して設けた止着片１２ａ，１３ａを、隣接する底板部用フラップ１０，１１に接着して底板部を形成する。かくして得られた包装箱Ｂ１は、ボトムロック式組立箱として、使用前には四周枠部を平行四辺形状に偏平化した折畳み形態にされ、使用に際して偏平化していた四周枠部を矩形に拡げて箱型に組み立てる。
【００１９】
組み立てた包装箱Ｂ１は、第一及び第二の蓋板部６，７と左右の蓋受けフラップ８，９が直立もしくは外側へ開いた状態で、上方から通販品等の所要の物品を箱内に装填する。そして、蓋受けフラップ８，９を内側に折り曲げた上に、第二の蓋板部７を差込みフラップ１５を内向きに折り曲げた状態で被せたのち、図２に示すようにこの第二の蓋板部７上に第一の蓋板部６を折り付け、その内向きに折り曲げた差込みフラップ１４を第二の蓋板部７のスリット１７に挿嵌することにより、図３に示すような封緘状態として顧客へ送り届ける。
【００２０】
上記の封緘においては、第一及び第二の蓋板部６，７はジッパー１８，１９以外の形状寸法が等しく、且つ差込みフラップ１４の基端が第一の蓋板部６の先端縁６ａよりも後方にあるため、該差込みフラップ１４を第二の蓋板部７のスリット２１に挿嵌した際、図４に示すように、その折り曲げた基端縁がスリット１７の前縁つまり前側板部１の内面位置に達し得ず、括れ部１４ａが係嵌部１７ａに嵌合する位置に来る。しかして、この嵌合位置では、図５及び図６に示すように、差込みフラップ１４の左右両側の張出部１４ｂ，１４ｂが第二の蓋板部７の裏側に回り込んだ形になるから、該差込みフラップ１４はスリット１７から抜出不能となり、もって第一の蓋板部６を上方へ開くことができない確実な封緘状態となる。
【００２１】
また、スリット１７の切込み残部が前側板部１に続く堰壁部２１として立ち上がる一方、第一の蓋板部６の先端縁６ａが差込みフラップ１４の内側へ折り曲げた基端縁よりも突出しているから、封緘状態で該先端縁６ａが差込みフラップ１４の括れ部１４ａの両側で堰壁部２１に当接し、突っ張る形で差込みフラップ１４と前側板部１内面との間隔を保つスペーサーとして作用する。従って、包装箱Ｂ１の取扱い中に外力を受けて蓋側が撓むことがあっても、差込みフラップ１４の括れ部１４ａがスリット１７の係嵌部１７ａから外れる懸念がなく、安定した封緘状態が確保され、高い封緘信頼性が得られる。更に、封緘のために第一の蓋板部６を第二の蓋板部７上に折り付けてゆく際、図４の仮想線で示すように、内向きに折り曲げた差込みフラップ１４の先端が堰壁部２１に当接することになり、そのまま第一の蓋板部６を押さえるだけで、差込みフラップ１４が先端を堰壁部２１内面に摺接してスリット１７に嵌まり込むから、スリット１７に差込みフラップ１４の先を合わせる位置決め操作が不要となり、封緘の作業性が向上する。
【００２２】
かくして封緘された包装箱Ｂ１を開封するには、図７に示すように、第一の蓋板部６のジッパー１８を中央の指掛け部１８ａから左右に破断して切り取ればよい。これによって第一の蓋板部６が先端側と基端側とに分断するから、その基端側を開いて次に第二の蓋板部７を開き、収容していた物品を取り出すことができる。しかして、第一の蓋板部６の分離した先端側は、堰壁部２１側に寄せることによって差込みフラップ１４がスリット１７から抜出可能になるから、該差込みフラップ１４と一体に簡単に除去できる。
【００２３】
次に、取り出した物品の返品等のために再封緘する場合は、図８に示すように、初期の封緘とは逆に、第一の蓋板部６の残った基部側を下にして、その上に第二の蓋板部７を被せると共に、内側へ折り曲げた差込みフラップ１５を第一の蓋板部６のスリット１６に挿嵌し、図９に示すような封緘状態とすればよい。この再封緘における差込みフラップ１５とスリット１６及び堰壁部２０との関係は、既述した初期封緘における差込みフラップ１４とスリット１７及び堰壁部２１との関係と全く同様である。従って、再封緘の操作は初期封緘と同じく極めて容易に行えると共に、再封緘した包装箱Ｂ１は第二の蓋板部７を上方へ開くことができず、確実で安定した封緘状態となり、高い封緘信頼性が得られる。
【００２４】
この再封緘状態からの再開封は、図１０に示すように、第二の蓋板部７のジッパー１９を指掛け部１９ａから破断して差込みフラップ１５と一体に切り取ればよい。これにより、第二の蓋板部７を上へ開いて、収容した物品を取り出すことができる。
【００２５】
上述のように、この包装箱Ｂ１では、初期封緘及び再封緘のいずれにおいても、粘着テープや接着剤が不要であるため、材料費の低減と省資源化を図れ、しかも蓋板部を簡単には開くことができないから、配送過程での悪意による物品の抜取りや取替え、異物混入等を防止できて封緘の高い信頼性が得られる。また、初期封緘及び再封緘のいずれの状態でも蓋面が平坦になるから、この蓋面に郵便や宅配便による配送に必要な送付状を綺麗に貼り付けることができる。
【００２６】
第二実施形態の包装箱Ｂ２は、前記第一実施形態の包装箱Ｂ１に対し、蓋板部における差込みフラップと差込み口の構造が異なるが、四周枠部（周壁部）及び底部の構造は略同じである。従って、以下においては、該包装箱Ｂ２の差込みフラップ及び差込み口以外の各構成部について、第一実施形態の包装箱Ｂ１と同一符号を附して説明を省略する。
【００２７】
図１１は包装箱Ｂ２を構成するシートＳ２を示す。このシートＳ２は、第一実施形態の場合のシートＳ１と同様に段ボールや厚紙又はプラスチックからなるシート状原材を打ち抜きプレスしたものであり、前後側板部１，２、左右側板部３，４、糊付け用フラップ５、第一の蓋板部６、第二の蓋板部７、蓋受けフラップ８，９、底板部用フラップ１０〜１３が縦おりせんａ〜ｄ及び横折り線ｅ〜ｍを介して連設されている。
【００２８】
そして、第一及び第二の底蓋部６，７は、先端側の中央に各々横折り線ｒ，ｓを介して各々左右一対の逆Ｌ字状の差込みフラップ２２，２３が連設されると共に、基端側の中央に差込み口としてのくの字形に曲折した各々左右一対のスリット２４，２５が切り込み形成されている。しかして、差込みフラップ２２，２２の対ならびに差込みフラップ２３，２３の対は、それぞれの突片部２２ａ，２２ａ同士、２３ａ，２３ａ同士が左右に背反する向きに張出している。また、スリット２４，２４の対ならびにスリット２５，２５の対は、それぞれくの字形の片側半部が底蓋部６，７の基端縁つまり横折り線ｅ，ｆに沿い、他側半部同士が互いにハの字状に配置するように設定されている。
【００２９】
なお、両底蓋部６，７には前記第一実施形態と同様のジッパー１８，１９が設けてあり、第二の底蓋部７のジッパー１９は差込みフラップ２３，２３と一体に切り取るようになっている。また、両底蓋部６，７の基端側では横折り線ｅ，ｆがスリット１６，１７の基端縁に沿う各半部の切込み部分で途切れており、これによってスリット２４，２５の各半部の抜け残部が前後側板部１，２から連続して立ち上がる条片状の堰壁部２６，２７を構成している。
【００３０】
包装箱Ｂ２を製作するには、上記のシートＳ２を用い、第一実施形態の場合のシートＳ１と同様に、前後側板部１，２及び左右側板部３，４よりなる四周枠部を形成すると共に、底板部用フラップ１０と１３ならびに底板部用フラップ１１と１２をそれぞれ接着し、使用前の偏平な折畳み形態から四周枠部を矩形に拡げて箱型に組み立てるボトムロック式組立箱とすればよい。
【００３１】
組み立てた包装箱Ｂ２の使用に際しては、第一及び第二の蓋板部６，７と左右の蓋受けフラップ８，９が直立もしくは外側へ開いた状態で、上方から通販品等の所要の物品を箱内に装填したのち、蓋受けフラップ８，９を内側に折り曲げた上に、第二の蓋板部７を差込みフラップ２３，２３を内向きに折り曲げた状態で被せる。次いで、この第二の蓋板部７上に第一の蓋板部６を折り付けるに当たり、図１２に示すように、その内向きに折り曲げた差込みフラップ２２，２２を、第二の蓋板部７のスリット２５，２５のくの字形に合わせて、突片部２２ａ，２２ａが互いにハの字形をなすように強制的に内側へ曲げた状態で、各々スリット２５に挿嵌し、もって図１３に示すような封緘状態として顧客へ送り届ける。
【００３２】
しかして、この封緘状態では、各スリット２５に挿嵌した差込みフラップ２２は、挿嵌時に強制的に曲げられていた突片部２２ａの向きが箱内で自然に曲がりを小さくする方向に戻るため、図１４に示すように、該突片部２２ａがスリット２５のくの字形から外れて第二の蓋板部７の裏側に回り込んだ状態になり、もって両差込みフラップ２２，２２がスリット２５，２５から抜出不能にロックされる。従って、包装箱Ｂ２は、第一の蓋板部６を上方へ開くことができない確実な封緘状態となる。
【００３３】
なお、各スリット２５の半部の切込み残部が前側板部１に続く堰壁部２５として立ち上がっており、封緘のために第一の蓋板部６を第二の蓋板部７上に折り付けてゆく際、内向きに折り曲げた差込みフラップ２２，２２の先端が堰壁部２５，２２に当接して位置決めされるから、スリット２５，２５への挿嵌操作が非常に容易になり、封緘の作業性が向上する。
【００３４】
かくして封緘された包装箱Ｂ２を開封するには、既述の第一実施形態の場合と同様に、第一の蓋板部６のジッパー１８を中央の指掛け部１８ａから左右に破断して切り取ればよく、もって分断した第一の蓋板部６の基端側と第二の蓋板部７を順次開いて内部の物品を簡単に取り出すことができる。
【００３５】
次に、取り出した物品の返品等のために再封緘する場合は、第一の蓋板部６の分離した先端側を差込みフラップ２２，２２と一体に除去した上で、初期の封緘とは逆に第一の蓋板部６の残った基部側を下にして、その上に第二の蓋板部７を被せると共に、初期の封緘と同様に、第一の蓋板部７のスリット２４，２４のくの字形に合わせて、第二の蓋板部７の内向きに折り曲げた差込みフラップ２３，２３を突片部２３ａ，２３ａが互いにハの字形をなすように強制的に内側へ曲げた状態で、各々スリット２４に挿嵌すればよい。この再封緘の操作も初期封緘と同じく極めて容易に行える。
【００３６】
そして、再封緘した包装箱Ｂ２は、初期封緘時と同様に差込みフラップ２３，２３が突片部２３ａ，２３ａの向きの戻りによってスリット２４，２４から抜出不能にロックされることから、第二の蓋板部７を上方へ開くことができず、確実で安定した封緘状態となり、高い封緘信頼性が得られる。また、この再封緘状態からの再開封は、既述の第一実施形態と同様に、第二の蓋板部７のジッパー１９を指掛け部１９ａから破断して差込みフラップ２３，２３と一体に切り取ればよい。
【００３７】
この第二実施形態の包装箱Ｂ２でも、初期封緘及び再封緘共に、粘着テープや接着剤が不要であるため、材料費の低減と省資源化を図れ、しかも蓋板部を簡単には開くことができないので封緘の高い信頼性が得られ、また初期封緘及び再封緘のいずれの状態でも蓋面は配送用の送付状等の貼り付けが容易な平坦面となる。
【００３８】
なお、この発明の再封緘機能付き包装箱は、第一及び第二の蓋板部の差込みフラップと差込み口として、既述の第一及び第二の実施形態で例示した以外の種々の形状及び係止手段を採用できる。しかして、第一及び第二の実施形態では、初期封緘と再封緘に用いる差込みフラップと差込み口を同じ構造にしているが、例えば第一実施形態と第二の実施形態で示した差込みフラップと差込み口の係嵌構造の一方を初期封緘に、他方を再封緘に採用する等、初期封緘と再封緘とで異なる挿嵌構造を採用してもよい。また、第一及び第二の蓋板部に設ける開封用破断部は、第一及び第二実施形態の包装箱Ｂ１，Ｂ２では破断方向の異なるジッパー１８，１９にて構成しているが、破断線の方向及び走行パターンを種々設定できると共に、ミシン目等の破断線の破断だけで切取り部分を生じない構造も採用可能である。その他、この発明においては、第一及び第二の蓋板部及び蓋受けフラップの形状、四周側板部の形状、底板部の構造等、細部構成については実施形態以外に種々設計変更可能である。
【図面の簡単な説明】
【００３９】
【図１】この発明の第一実施形態に係る再封緘機能付き包装箱の組立前のシート形態を示す平面図である。
【図２】同包装箱の初期封緘操作を示す斜視図である。
【図３】同包装箱の初期封緘状態の斜視図である。
【図４】図３のＩＶ−ＩＶ線の矢視断面図である。
【図５】図４のＶ−Ｖ線の矢視断面図である。
【図６】図３のＶＩ−ＶＩ線の矢視断面図である。
【図７】同包装箱の開封操作を示す斜視図である。
【図８】同包装箱の再封緘操作を示す斜視図である。
【図９】同包装箱の再封緘状態の斜視図である。
【図１０】同包装箱の再開封操作を示す斜視図である。
【図１１】この発明の第二実施形態に係る再封緘機能付き包装箱の組立前のシート形態を示す平面図である。
【図１２】同包装箱の初期封緘操作を示す斜視図である。
【図１３】同包装箱の初期封緘状態の斜視図である。
【図１４】図１３のＸＩＶ−ＸＩＶ線の矢視断面図である。
【符号の説明】
【００４０】
Ｂ１，Ｂ２・・・・・包装箱
１・・・・・・・・・前側板部
２・・・・・・・・・後側板部
３・・・・・・・・・左側板部
４・・・・・・・・・右側板部
６・・・・・・・・・第一の蓋板部
６ａ・・・・・・・・先端縁
７・・・・・・・・・第二の蓋板部
７ａ・・・・・・・・先端縁
１０〜１３・・・・・底板部用フラップ（底板部）
１４，１５・・・・・差込みフラップ
１４ａ，１５ａ・・・括れ部
１４ｂ，１５ｂ・・・張出部
１６，１７・・・・・差込み口
１６ａ，１７ａ・・・係嵌部
１８，１９・・・・・ジッパー（開封用破断部）
２０，２１・・・・・堰壁部
２２，２３・・・・・差込みフラップ
２４，２５・・・・・差込み口
【図１】
2006176149.tif 000003
【図２】
2006176149.tif 000004
【図３】
2006176149.tif 000005
【図４】
2006176149.tif 000006
【図５】
2006176149.tif 000007
【図６】
2006176149.tif 000008
【図７】
2006176149.tif 000009
【図８】
2006176149.tif 000010
【図９】
2006176149.tif 000011
【図１０】
2006176149.tif 000012
【図１１】
2006176149.tif 000013
【図１２】
2006176149.tif 000014
【図１３】
2006176149.tif 000015
【図１４】
2006176149.tif 000016